(57)【要約】【課題】押さえレールの挟み付け面から先に回転刃の刃先が誤操作により突き出す事態を、簡素な構造をもって確実に防止できるようにする。【解決手段】スライダベース３１にはロック位置とアンロック位置とに亘る横移動操作可能に組み合わされたスライダロック３１４が備えられている。マウント体３２には上部室３２５ａと下部室３２５ｂとの間に下方に向いたロック用段差面３２５ｃを備えたスライダロック３１４の脚部３１４ｂの通し部３２５が形成されている。スライダロック３１４のロック位置において、スライダロック３１４の脚部３１４ｂがロック用段差面３２５ｃの下方に位置され、かつ、スライダロック３１４のアンロック位置においてスライダロック３１４の脚部３１４ｂが付勢手段３３の付勢に抗したマウント体３２の下降位置に向けた押し込み操作によって上部室３２５ａに入り込む位置に位置されるようになっている。【選択図】図３
2006110681.tif 000002
【特許請求の範囲】
【請求項１】
盤上面にシート状をなす裁断対象物の載置面を備えたベース盤と、
レール下面を裁断対象物の挟み付け面とし、ベース盤の載置面に載置された裁断対象物を、この挟み付け面とこの載置面との間で挟み付ける挟み付け位置から両面を離隔させた離隔位置への移動可能に、このベース盤に組み付けられた押さえレールと、
押さえレールに、この押さえレールに沿ってスライド移動可能に組み合わされたスライダとを有しており、
スライダに内蔵された円板状をなす回転刃によってこのスライダのスライド移動により前記のように挟み付けられた裁断対象物にカッティングを施す裁断装置であって、
スライダは、
押さえレールへのはめ込み部を備えたスライダベースと、
スライダベースに上下動可能に組み合わされると共に、前面に回転刃の中心に形成された軸穴に入れ込まれてこの回転刃を回転可能に支持する軸部を備えたマウント体と、
このマウント体に取り付けられた回転刃の刃先を押さえレールの挟み付け面から先に突き出させないリフト位置に向けてマウント体を常時付勢する付勢手段と、
マウント体の前面を覆うようにスライダベースに取り外し可能に組み合わされるスライダカバーとを有しており、
しかも、スライダベースには、操作用頭部と脚部とを有しており、かつ、ロック位置とアンロック位置とに亘る横移動操作可能にこのスライダベースに組み合わされたスライダロックが備えられていると共に、
マウント体には、上部室と下部室とを備えると共に、この上部室と下部室との間に下方に向いたロック用段差面を備えたスライダロックの脚部の通し部が形成されており、
スライダロックのロック位置において、スライダロックの脚部が通し部の下部室内においてロック用段差面の下方に位置され、かつ、スライダロックのアンロック位置においてスライダロックの脚部が付勢手段の付勢に抗したマウント体の下降位置に向けた押し込み操作によって通し部の上部室に入り込む位置に位置されるようになっていることを特徴とする裁断装置。
【請求項２】
スライダカバーに、
掛合位置と非掛合位置とに亘る横移動操作可能にこのスライダカバーに組み合わされると共に、スライダカバーの背面から突き出される掛合脚を備えたボタン体と、
このボタン体を常時掛合位置に向けて付勢する付勢手段とが内蔵されており、
スライダベースの前面に、
非掛合位置に移動されたボタン体の掛合脚を受け入れると共に、この受け入れ後の付勢手段の付勢によるボタン体の掛合位置への移動によりこの掛合脚が掛合される掛合穴が形成されていることを特徴とする請求項１記載の裁断装置。
【請求項３】
一端部に、回転刃の前面に吸着される永久磁石を備え、他端部側を把持部とした回転刃の取り替え補助具を備えていることを特徴とする請求項１又は請求項２記載の裁断装置。
【請求項４】
ベース盤の盤上面に、押さえレールに直交する向きに延びる固定当て定規と、  押さえレールに平行に延び、かつ、この押さえレールとの間のピッチを可変するスライド移動可能な可動当て定規とが備えられており、
この固定当て定規と可動当て定規とが、この可動当て定規の一端部に形成された下面において開放された凹部内に固定当て定規を入れ込ませるようにして組み合わされていると共に、
可動当て定規には、この凹部内に入れ込まれた固定当て定規の一側面にこの凹部の一方側壁側から常時突き当たるように付勢されたストッパ体が内蔵されており、
このストッパ体の突き当たりによって固定当て定規の他側面に凹部の他方側壁が押し付けられるようになっていることを特徴とする請求項１〜請求項３のいずれか１項に記載の裁断装置。
【請求項５】
ベース盤の盤上面に、押さえレールに直交する向きに延びる固定当て定規と、  押さえレールに平行に延び、かつ、この押さえレールとの間のピッチを可変するスライド移動可能な可動当て定規とが備えられており、
この固定当て定規と可動当て定規とが、この可動当て定規の一端部に形成された下面において開放された凹部内に固定当て定規を入れ込ませるようにして組み合わされていると共に、
固定当て定規には、その上部にその長さ方向に亘って張り出し部が形成されており、
しかも、可動当て定規の一端部には、この固定当て定規の張り出し部に、突き当たり部を常時下方から突き当てさせるように付勢されたストッパ体と、
押し込み操作により前記ストッパ体に押し当たってこのストッパ体を前記付勢に抗して下方に押し込ませるボタン体とが内蔵されていることを特徴とする請求項１〜請求項３のいずれか１項に記載の裁断装置。
【請求項６】
ベース盤の盤上面に、押さえレールに直交する向きに延びる固定当て定規が備えられていると共に、
ベース盤の盤上面に、押さえレールに直交する一辺を固定当て定規に位置決めされて載置された裁断対象物の、この押さえレールに平行な一辺と、この平行な一辺に隣り合う押さえレールに直交する他辺との間の隅に指を掛け易くする深さのディンプルが形成されていることを特徴とする請求項１〜請求項５のいずれか１項に記載の裁断装置。
【発明の詳細な説明】
【技術分野】
【０００１】
この発明は、紙などのシート状をなす裁断対象物の大きさを整えたり、不要な部分を取り除いたりなどするために、この裁断対象物に施すべきカッティングを、この裁断対象物に容易かつ正確に施すために用いられる裁断装置の改良に関する。
【背景技術】
【０００２】
紙台に回動可能に組み付けられたガイドレールと、このガイドレールにスライド可能に設けられる刃付きスライダーとを有し、ばねの付勢力に抗してスライダーを紙台に向けて変移させて刃を突出させた状態でこのガイドレールに沿ってスライダーを移動させることで、ガイドレールと紙台との間に挟まれた紙にカッティングを施すように構成された紙裁断機として、特許文献１に示されるものがある。
【０００３】
この紙裁断機にあっては、スライダー内に刃のホルダーに形成された突起に、ガイドレールの傾斜によって係合されるストッパ部材が備えられている。これにより、ガイドレールの傾動時に誤操作によってスライダーから予期せず刃が突出されてしまうことがないようにしている。
【０００４】
しかるに、かかる紙裁断機にあっては、ガイドレールが傾動されていないときにはホルダーを下方に押せば刃が突出されてしまうものであり、紙台に裁断すべき紙を載せてはいるがそのセッティングが適切になされていないときにホルダーを誤って押してしまうとこの紙に無用の傷を付けてしまうなどの不都合を持つものであった。
【特許文献１】特開平１１−３３３７９２号公報
【発明の開示】
【発明が解決しようとする課題】
【０００５】
この発明が解決しようとする主たる問題点は、この種の裁断装置において、その押さえレールの挟み付け面から先にスライダに内蔵された回転刃の刃先を裁断が必要とされないときに誤操作により突き出させてしまう事態を、簡素な構造をもって確実に防止できるようにする点にある。
【課題を解決するための手段】
【０００６】
前記問題点を解決するために、この発明にあっては裁断装置を以下の（１）〜（８）の構成を備えたものとした。
（１）盤上面にシート状をなす裁断対象物の載置面を備えたベース盤と、
（２）レール下面を裁断対象物の挟み付け面とし、ベース盤の載置面に載置された裁断対象物を、この挟み付け面とこの載置面との間で挟み付ける挟み付け位置から両面を離隔させた離隔位置への移動可能に、このベース盤に組み付けられた押さえレールと、
（３）押さえレールに、この押さえレールに沿ってスライド移動可能に組み合わされたスライダとを有しており、
（４）スライダに内蔵された円板状をなす回転刃によってこのスライダのスライド移動により前記のように挟み付けられた裁断対象物にカッティングを施す裁断装置であって、
（５）スライダは、
押さえレールへのはめ込み部を備えたスライダベースと、
スライダベースに上下動可能に組み合わされると共に、前面に回転刃の中心に形成された軸穴に入れ込まれてこの回転刃を回転可能に支持する軸部を備えたマウント体と、
このマウント体に取り付けられた回転刃の刃先を押さえレールの挟み付け面から先に突き出させないリフト位置に向けてマウント体を常時付勢する付勢手段と、
マウント体の前面を覆うようにスライダベースに取り外し可能に組み合わされるスライダカバーとを有しており、
（６）しかも、スライダベースには、操作用頭部と脚部とを有しており、かつ、ロック位置とアンロック位置とに亘る横移動操作可能にこのスライダベースに組み合わされたスライダロックが備えられていると共に、
（７）マウント体には、上部室と下部室とを備えると共に、この上部室と下部室との間に下方に向いたロック用段差面を備えたスライダロックの脚部の通し部が形成されており、
（８）スライダロックのロック位置において、スライダロックの脚部が通し部の下部室内においてロック用段差面の下方に位置され、かつ、スライダロックのアンロック位置においてスライダロックの脚部が付勢手段の付勢に抗したマウント体の下降位置に向けた押し込み操作によって通し部の上部室に入り込む位置に位置されるようになっている。
【０００７】
スライダロックをロック位置に位置づけた状態では、その脚部が前記ロック用段差面の下方に位置されることから、付勢手段の付勢によりリフト位置にあるマウント体をこの付勢に抗して押し込み操作してもマウント体は移動されない。これにより、裁断対象物のカッティングを必要としない場合には、誤ってマウント体を押し込み操作しても押さえレールの挟み付け面から先に回転刃の下端が突き出さないようにすることができる。
【０００８】
スライダロックをアンロック位置に位置づけた状態では、その脚部が前記上部室に入り込む位置に位置されることから、付勢手段の付勢によりリフト位置にあるマウント体をこの付勢に抗して押し込み操作するとマウント体は移動され、押さえレールの挟み付け面から先に回転刃の下端が突き出される。この状態において押さえレールに沿ってスライダを移動させることにより、挟み付け位置にある押さえレールによって押さえつけられた裁断対象物にカッティングを施すことができる。
【０００９】
前記スライダカバーに、
掛合位置と非掛合位置とに亘る横移動操作可能にこのスライダカバーに組み合わされると共に、スライダカバーの背面から突き出される掛合脚を備えたボタン体と、
このボタン体を常時掛合位置に向けて付勢する付勢手段とが内蔵されており、
スライダベースの前面に、
非掛合位置に移動されたボタン体の掛合脚を受け入れると共に、この受け入れ後の付勢手段の付勢によるボタン体の掛合位置への移動によりこの掛合脚が掛合される掛合穴を形成させておくこともある。
【００１０】
このようにした場合、ボタン体を非掛合位置に向けて付勢手段の付勢に抗して押し込み横移動操作することにより、スライダカバーをスライダベースからワンタッチで取り外すことができ、これによりマウント体に支持された回転刃のスライダカバーによる保持状態を解いてこの回転刃を交換できる状態を容易に作り出すことができる。回転刃の交換後は、ボタン体を非掛合位置に再び押し込み位置づけた状態からこのボタン体の掛合脚をスライダベースの掛合穴に入れ込ませた後、この押し込みを解くと、ボタン体は付勢手段の付勢により掛合位置に横移動され、スライダカバーによって回転刃を保持させた状態を再びワンタッチで作り出すことができる。
【００１１】
裁断装置を、一端部に、回転刃の前面に吸着される永久磁石を備え、他端部側を把持部とした回転刃の取り替え補助具を含んで構成されたものとしておくこともある。
【００１２】
このようにした場合、マウント体の前面に支持された回転刃に触れることなく、この回転刃の前面に取り替え補助具の永久磁石を吸着させてこの回転刃の軸穴からマウント体の軸部を抜き出させるように回転刃を前方に移動させることができ、これによりマウント体から回転刃を取り外すことができる。また、この後、交換用の回転刃の前面に取り替え補助具の永久磁石を吸着させて、ここでも回転刃に触れることなく、マウント体の軸部にこの交換用の回転刃をセッティングさせることができる。セッティング後は、この回転刃の前面から永久磁石を引き剥がすように取り替え補助具を操作すれば回転刃のみをマウント体の前面に残すことができる。
【００１３】
前記ベース盤の盤上面に、押さえレールに直交する向きに延びる固定当て定規と、
押さえレールに平行に延び、かつ、この押さえレールとの間のピッチを可変するスライド移動可能な可動当て定規とが備えられており、
この固定当て定規と可動当て定規とが、この可動当て定規の一端部に形成された下面において開放された凹部内に固定当て定規を入れ込ませるようにして組み合わされていると共に、
可動当て定規には、この凹部内に入れ込まれた固定当て定規の一側面にこの凹部の一方側壁側から常時突き当たるように付勢されたストッパ体が内蔵されており、
このストッパ体の突き当たりによって固定当て定規の他側面に凹部の他方側壁が押し付けられるようにしておくこともある。
【００１４】
このようにした場合、固定当て定規の一側面に付勢により突き当てられるストッパ体によって、固定当て定規の他側面に凹部の他方側壁を押し付け、これにより、固定当て定規の長さ方向に亘る所望の位置において、この固定当て定規との間に直角を形成させるように可動当て定規を位置づけさせることができる。また、このように位置づけられた可動当て定規をストッパ体の付勢の向きと逆向きに移動操作させることにより、固定当て定規の他側面と凹部の他方側壁との押し付けを解くことができ、この押し付けを解いた状態において固定当て定規をガイドとして可動当て定規を所望の位置までベース盤上をスライド移動させることができる。スライド移動終了後にかかる付勢に抗した可動当て定規の移動操作を止めると、ストッパ体の付勢によりこのストッパ体と凹部の他方側壁との間で固定当て定規は再び挟み付けられ、所望の移動位置において可動当て定規は再び安定的に位置づけられる。
【００１５】
前記ベース盤の盤上面に、押さえレールに直交する向きに延びる固定当て定規と、
押さえレールに平行に延び、かつ、この押さえレールとの間のピッチを可変するスライド移動可能な可動当て定規とが備えられており、
この固定当て定規と可動当て定規とが、この可動当て定規の一端部に形成された下面において開放された凹部内に固定当て定規を入れ込ませるようにして組み合わされていると共に、
固定当て定規には、その上部にその長さ方向に亘って張り出し部が形成されており、
しかも、可動当て定規の一端部に、この固定当て定規の張り出し部に、突き当たり部を常時下方から突き当てさせるように付勢されたストッパ体と、
押し込み操作により前記ストッパ体に押し当たってこのストッパ体を前記付勢に抗して下方に押し込ませるボタン体とを内蔵させておくこともある。
【００１６】
このようにした場合、固定当て定規の張り出し部に付勢により下方から突き当たり部を突き当てさせるストッパ体によって、固定当て定規の長さ方向に亘る所望の位置において、この固定当て定規との間に直角を形成させるように可動当て定規を位置づけさせることができる。また、この状態からボタン体を押し込み操作することにより、ストッパ体を前記付勢に抗して下方に押し込んでこのストッパ体の突き当たり部と張り出し部との押し付けを解くことができ、この押し付けを解いた状態において固定当て定規をガイドとして可動当て定規を所望の位置までベース盤上をスライド移動させることができる。スライド移動終了後にボタン体の押し込み操作を止めると、前記付勢によりストッパ体の突き当たり部が固定当て定規の張り出し部に再び押し付けられ、所望の移動位置において可動当て定規は再び安定的に位置づけられる。
【００１７】
前記ベース盤の盤上面に、押さえレールに直交する向きに延びる固定当て定規が備えられていると共に、
ベース盤の盤上面に、押さえレールに直交する一辺を固定当て定規に位置決めされて載置された裁断対象物の、この押さえレールに平行な一辺と、この平行な一辺に隣り合う押さえレールに直交する他辺との間の隅に指を掛け易くする深さのディンプルを形成させておくこともある。
【００１８】
このようにした場合、ベース盤の載置面に位置決め載置させた状態でカッティングを施されてこの載置面上に残された裁断対象物の部分がこの載置面に密着していても、かかるディンプルを利用してこの部分を容易にこの載置面から引きはがすことができる。
【発明の効果】
【００１９】
この発明にかかる裁断装置によれば、スライダロックをこのスライダロックの脚部がマウント体のロック用段差面の下方に位置されるロック位置に位置づけておく限り、マウント体を押し込み操作しても押さえレールの挟み付け面から先に回転刃の刃先が突き出してしまうことがなく、押さえレールを離隔位置に移動させている場合にこの回転刃の刃先を誤操作により突き出させてしまう事態、および、ベース盤に裁断対象物を適切にセッティングしない状態でマウント体を誤って押し込んでしまいこの裁断対象物に無用な傷などを付けてしまうといった事態を、簡素な構造をもって確実に防止することができる。
【発明を実施するための最良の形態】
【００２０】
以下、図１ないし図２２に基づいて、この発明を実施するための最良の形態について説明する。
【００２１】
なお、ここで図１および図２は、実施の形態にかかる裁断装置の全体構成を示している。また、図３および図４は、回転刃３０を備えたスライダ３の内部構成を理解しやすいように、このスライダ３の配設位置において裁断装置を縦断面の状態として示している。また、図５および図６は、スライダ３を構成するスライダベース３１からスライダカバー３４を取り外した様子をそれぞれ示しており、また、図７は、このスライダカバー３４を取り外した状態において、取り替え補助具４を利用して回転刃３０の取り替えをなす様子を示している。また、図８は、かかる取り替え補助具４を構成する部品を分離させた状態として示している。また、図９および図１０は、スライダ３を構成する各部品を分離させた状態として示している。また、図１１は、スライダロック３１４によって回転刃３０を支持するマウント体の下降位置への押し込みを阻止するようにした場合のこのスライダロック３１４とロック用段差面３２５ｃとの位置関係を理解しやすいように、スライダ３の要部を分離させた状態で、この場合におけるマウント体３２の通し部３２５におけるスライダロック３１４の脚部３１４ｂの位置を想像線で表して示しており、また、図１２は、同様に、かかる押し込みを可能とした場合のスライダロック３１４の脚部３１４ｂの位置を想像線で表して示している。また、図１３は、ベース盤１に備えられる固定当て定規１６と可動当て定規１７を示しており、また、図１４は、かかる可動当て定規１７を構成する各部品を分離させた状態として示している。また、図１５および図１６は、固定当て定規１６と可動当て定規１７との組み合わせ状態を理解し易いようにこれらの要部を断面の状態として示しており、特に、図１６は、可動当て定規１７を操作して固定当て定規１６の長さ方向に沿って可動当て定規１７をスライド移動できるようにした状態を示している。また、図１７は、ベース盤１に備えられる固定当て定規１６に組み合わされる可動当て定規１９の別の実施の形態を示しており、また、図１８は、かかる可動当て定規１９を構成する各部品を分離させた状態として示している。また、図１９ないし図２２は、固定当て定規１６と可動当て定規１９との組み合わせ状態を理解し易いようにこれらの要部を断面の状態として示しており、特に、図２１および図２２は、可動当て定規１９の操作部１９８ｂを操作して固定当て定規１６の長さ方向に沿ってこの可動当て定規１９をスライド移動できるようにした状態を示している。
【００２２】
この実施の形態にかかる裁断装置は、紙などのシート状をなす裁断対象物Ｓの大きさを整えたり、不要な部分を取り除いたりなどするために、この裁断対象物Ｓに施すべきカッティングを、この裁断対象物Ｓに容易かつ正確に施せるようにしたものである。また、複数枚の裁断対象物Ｓを重ね合わせた状態で、このように重ね合わされた裁断対象物Ｓに対して前記カッティングを容易かつ正確に施せるようにしたものである。
【００２３】
かかる裁断装置は、
（１）ベース盤１と、
（２）押さえレール２と、
（３）スライダ３とを有している。
【００２４】
（ベース盤１）
ベース盤１は、盤上面の大部分をシート状をなす裁断対象物Ｓの載置面１１とするように構成されている。
【００２５】
図示の例では、かかるベース盤１は、平面視の状態において略長方形状をなす盤状体として構成されている。
【００２６】
このベース盤１の第一長辺１２に沿うように、このベース盤１の盤上面１０に押さえレール２が備えられている。また、この第一長辺１２に隣り合うベース盤１の第一短辺１３に沿うようにベース盤１の盤上面１０に後述する固定当て定規１６が備えられている。また、前記押さえレール２に平行をなすように、このベース盤１の盤上面１０に後述する可動当て定規１７が備えられている。そして、かかるベース盤１の盤上面１０に、押さえレール２に直交する一辺Ｓａを固定当て定規１６に位置決めさせ、かつ、この直交する一辺Ｓａに隣り合う押さえレール２に平行な一辺Ｓｂを可動当て定規１７に位置決めさせるようにして、盤上面１０に裁断対象物Ｓを載置させると共に、この状態から押さえレール２に沿ってスライダ３を移動させることにより、このスライダ３に内蔵された後述する回転刃３０によって、このように位置決め載置された裁断対象物Ｓにおける押さえレール２の下方を通ってベース盤１の第一長辺１２側にはみ出した部分とそれ以外の部分とを、押さえレール２の前端の直下位置において切り離すことができるようになっている。
【００２７】
この実施の形態にあっては、ベース盤１の載置面１１に、前記のようにこの載置面１１に載置された裁断対象物Ｓの、この載置面１１上に位置される押さえレール２に平行な一辺Ｓｂと、この平行な一辺Ｓｂに隣り合う押さえレール２に直交する他辺Ｓｃとの間の隅Ｓｄに指を掛け易くする深さのディンプル１１１が形成されている。
【００２８】
図示の例では、かかるディンプル１１１は、平面視の状態において略円形をなす窪みとして構成されている。また、かかるディンプル１１１は、前記載置面１１に複数箇所設けてある。各ディンプル１１１、１１１…はそれぞれ、前記裁断対象物Ｓの前記カッティング後にベース盤１の載置面１１上に残される部分を規格化された巾と長さのシートとする場合に、その規格化されたシートとなる裁断対象物Ｓのこの残される部分の前記隅Ｓｄに位置されるように設けられている。図示の例では、この残される部分がＡ４版縦、Ｂ５版縦、Ａ５版縦、Ｂ６版縦、写真のＬ版縦となる場合の前記隅Ｓｄが位置される位置と、この残される部分がＡ４版横、Ｂ５版横、Ａ５版横、Ｂ６版横、写真のＬ版横となる場合の前記隅Ｓｄが位置される位置とにそれぞれ、前記ディンプル１１１が設けられている。（図１、図２）
【００２９】
これにより、この実施の形態にあっては、ベース盤１の載置面１１に位置決め載置させた状態でカッテイングを施されてこの載置面１１上に残された裁断対象物Ｓの部分がこの載置面１１に密着していても、かかるディンプル１１１を利用してこの部分を容易にこの載置面１１から引きはがすことができる。
【００３０】
また、この実施の形態にあっては、かかるベース盤１の盤上面１０に、押さえレール２に直交する向きに延びる前記固定当て定規１６と、
押さえレール２に平行に延び、かつ、この押さえレール２との間のピッチを可変するスライド移動可能な前記可動当て定規１７とが備えられている。
【００３１】
図示の例では、かかる固定当て定規１６は、ベース盤１の前記第一短辺１３に平行をなし、かつ、この第一短辺１３との間にやや間隔を開けるようにして、ベース盤１の盤上面１０に設けられた巾広のリブ状をなすように構成されている。かかる固定当て定規１６は、押さえレール２の後側面部２１とベース盤１の第二長辺１４との間に略亘る長さを持つように構成されている。
【００３２】
一方、可動当て定規１７は、ベース盤１の前記第一長辺１２に平行をなすと共に、載置面１１の長さ寸法よりも長さ寸法をやや短くした棒状をなすように構成されている。
【００３３】
そして、この実施の形態にあっては、かかる固定当て定規１６と可動当て定規１７とが、この可動当て定規１７の一端部に形成された下面において開放された凹部１７１内に固定当て定規１６を入れ込ませるようにして組み合わされている。
【００３４】
図示の例では、固定当て定規１６は、載置面１１側に向けられた一側面１６１とベース盤１の第一短辺１３側に向けられた他側面１６２とを有していると共に、その上部にその長さ方向に亘って第一短辺１３側に向けて突き出す張り出し部１６４を有している。また、この張り出し部１６４の下方にある他側面１６２を、固定当て定規１６の長さ方向に亘ってこの他側面１６２に形成された上下方向に亘る複数の細溝によって、摩擦抵抗の高いローレット状面１６３としている。
【００３５】
一方、可動当て定規１７は、その下面を載置面１１に接触させるように、前記凹部１７１に前記固定当て定規１６を納め、かつ、この状態でこの固定当て定規１６の長さ方向に沿って押さえレール２に対し平行を保ちながらスライド移動させることができるようになっている。すなわち、かかる凹部１７１は可動当て定規１７の両側面において外方に開放されている。また、かかる凹部１７１における固定当て定規１６の一側面１６１に向けられた一方側壁１７２と、固定当て定規１６の他側面１６２に向けられた他方側壁１７３との間のピッチは、この固定当て定規１６の一側面１６１と他側面１６２との間のピッチよりもやや大きくなるようにしてある。また、かかる凹部１７１の他方側壁１７３側の上部には、固定当て定規１６の前記張り出し部１６４の下面に下方から引っかかる段差面１７４が形成されている。また、この段差面１７４下の凹部１７１の他方側壁１７３には弾性材１７５が張り込まれている。
【００３６】
そして、この実施の形態にあっては、かかる可動当て定規１７には、この凹部１７１内に入れ込まれた固定当て定規１６の一側面１６１にこの凹部１７１の一方側壁１７２側から常時突き当たるように付勢されたストッパ体１７６が内蔵されており、
このストッパ体１７６の突き当たりによって固定当て定規１６の他側面１６２に凹部１７１の他方側壁１７３が押し付けられるようになっている。
【００３７】
図示の例にあっては、可動当て定規１７の凹部１７１の一方側壁１７２側にこの凹部１７１に連通したストッパ体１７６の収納室１７７が形成されていると共に、この収納室１７７内に納められた圧縮コイルバネ１７８によってストッパ体１７６の前端部１７６ａが収納室１７７から凹部１７１内に常時付勢突き出されて固定当て定規１６の一側面１６１に押し当てられるようになっている。
【００３８】
これにより、この実施の形態にあっては、固定当て定規１６の一側面１６１に付勢により突き当てられるストッパ体１７６によって、固定当て定規１６の他側面１６２に凹部１７１の他方側壁１７３を押し付け、これにより、固定当て定規１６の長さ方向に亘る所望の位置において、この固定当て定規１６との間に直角を形成させるように可動当て定規１７を位置づけさせることができる。（図１５）また、このように位置づけられた可動当て定規１７をストッパ体１７６の付勢の向きと逆向きに移動操作させることにより、固定当て定規１６の他側面１６２と凹部１７１の他方側壁１７３との押し付けを解くことができ、（図１６）この押し付けを解いた状態において固定当て定規１６をガイドとして可動当て定規１７を所望の位置までベース盤１上をスライド移動させることができる。スライド移動終了後にかかる付勢に抗した可動当て定規１７の移動操作を止めると、ストッパ体１７６の付勢によりこのストッパ体１７６と凹部１７１の他方側壁１７３との間で固定当て定規１６は再び挟み付けられ、所望の移動位置において可動当て定規１７は再び安定的に位置づけられる。
【００３９】
なお、図示の例では、ストッパ体１７６の付勢に抗する向きに可動当て定規１７を移動操作しても、可動当て定規１７の凹部１７１内に形成された段差面１７４と固定当て定規１６の張り出し部１６４との引っかかりは解かれないようになっている。また、ストッパ体１７６の付勢により、凹部１７１の他方側壁１７３に張り込まれた弾性材１７４に固定当て定規１６の他側面１６２に形成されたローレット状面１６３が食い込むようになっており、可動当て定規１７をより安定的に位置づけることができるようになっている。また、図示の例では、可動当て定規１７の凹部１７１の形成位置の上部に、隆起部状をなす操作用把持部１７９が形成されており、これを利用してストッパ体１７６の付勢に抗した前記可動当て定規１７の移動操作をなすようにしている。
【００４０】
図１７ないし図２２に示される例にあっては、固定当て定規１７の張り出し部１６４の下方にある他側面１６２は、平坦面となっている。
【００４１】
また、可動当て定規１９の凹部１９１における固定当て定規１６の一側面１６１に向けられた一方側壁１９２と、固定当て定規１６の他側面１６２に向けられた他方側壁１９３との間のピッチは、この固定当て定規１６の一側面１６１と他側面１６２との間のピッチとほぼ等しくなるようにしてある。また、固定当て定規の高さ寸法と前記凹部１９１の深さとが略一致するようになっている。
【００４２】
そして、この図１７ないし図２２に示される例にあって、かかる可動当て定規１９の一端部には、固定当て定規１６の張り出し部１６４に、突き当たり部１９７ａを常時下方から突き当てさせるように付勢されたストッパ体１９７と、
押し込み操作により前記ストッパ体１９７に押し当たってこのストッパ体１９７を前記付勢に抗して下方に押し込ませるボタン体１９８とが内蔵されている。
【００４３】
この例にあっては、可動当て定規１９の凹部１９１の他方側壁１９３の側に凹部１９１に連通したストッパ体１９７の収納室１９４が形成されていると共に、この収納室１９４内に納められた圧縮コイルバネ１９５によってストッパ体１９７の下部に形成された突き当たり部１９７ａが前記張り出し部１６４に常時下方から押し当てられるようになっている。
【００４４】
また、この例にあっては、可動当て定規１９の前記収納室１９４にさらに、前記ストッパ体１９７の上方に位置されるようにボタン体１９８が内蔵されている。このボタン体１９８はその下部に、ストッパ体１９７の上部に形成された傾斜面１９７ｂに整合した傾斜面１９８ａを有しており、また、可動当て定規１９の一端部の一方側部に開設された窓穴１９６から突き出される操作部１９８ｂを有している。前記両傾斜面１９７ｂ、１９８ａの傾斜は、前記バネ１９５により上方に付勢されるストッパ体１９７を通じてボタン体１９８の操作部１９８ｂを前記窓穴１９６から常時突き出させる向きとなっている。ボタン体１９８の前記押し込み操作は、この窓穴１９６から突き出されたボタン体１９８の操作部１９８ｂの押し込みによりなされる。すなわち、ボタン体１９８の操作部１９８ｂを押し込むことによりボタン体１９８は側方に移動されるが前記両傾斜面１９７ｂ、１９８ａの傾斜によってストッパ体１９７は下方に押し込まれ突き当たり部１９７ａの張り出し部１６４に対する前記押し当てが解かれるようになっている。
【００４５】
これにより、この例にあっても、固定当て定規１６の張り出し部１６４に付勢により下方から突き当たり部１９７ａを突き当てさせるストッパ体１９７によって、固定当て定規１６の長さ方向に亘る所望の位置において、この固定当て定規１６との間に直角を形成させるように可動当て定規１９を位置づけさせることができる。（図１７、図１９、図２０）また、この状態からボタン体１９８を押し込み操作することにより、ストッパ体１９７を前記付勢に抗して下方に押し込んでこのストッパ体１９７の突き当たり部１９７ａと張り出し部１６４との押し付けを解くことができ、（図２１、図２２）この押し付けを解いた状態において固定当て定規１６をガイドとして可動当て定規１９を所望の位置までベース盤１上をスライド移動させることができる。スライド移動終了後にボタン体１９８の押し込み操作を止めると、前記付勢によりストッパ体１９７の突き当たり部１９７ａが固定当て定規１６の張り出し部１６４に再び押し付けられ、所望の移動位置において可動当て定規１９は再び安定的に位置づけられる。
【００４６】
なお、この例にあっては、ストッパ体１９７の突き当たり部１９７ａの上面には弾性材１９７ｃが張り込まれており、固定当て定規１６の張り出し部１６４の下面にこの突き当たり部１９７ａは摩擦抵抗高く押し当てられるようになっている。
【００４７】
（押さえレール２）
押さえレール２は、レール下面を裁断対象物Ｓの挟み付け面２２とし、ベース盤１の載置面１１に載置された裁断対象物Ｓを、この挟み付け面２２とこの載置面１１との間で挟み付ける挟み付け位置から両面を離隔させた離隔位置への移動可能に、前記ベース盤１に組み付けられている。
【００４８】
図示の例にあっては、かかる押さえレール２は、ベース盤１の第一長辺１２と第一短辺１３との間の隅部、および、この第一長辺１２と第二短辺１５との間の隅部にそれぞれ形成された軸受け部１８に、この押さえレール２の端部にアーム先端を組み付けさせて第一長辺１２側に向けて略水平に延び、かつ、そのアーム基端に軸部２３１を備えたアーム２３のこの軸部２３１を回動可能に組み合せることにより、前記挟み付け面２２を下方に向けた挟み付け位置からこれを上方に向けた離隔位置まで回動操作できるようになっている。図示の例にあっては、押さえレール２は、挟み付け位置から、ベース盤１の第一長辺１２の側方に向けて回動させることができるようになっている。（図１における矢印方向）そして、前記離隔位置において載置面１１に裁断対象物Ｓをセットした後、かかる押さえレール２を挟み付け位置に再び回動させて戻してこの裁断対象物Ｓを前記挟み付け面２２とこの載置面１１との間で挟み付けるようになっている。（図３）
【００４９】
かかる押さえレール２は、その長さ方向に亘る各所においてその巾方向に沿った断面形状を一様なものとしている。
【００５０】
図示の例では、かかる押さえレール２は、挟み付け位置において鉛直方向に延びる背板部２４と、この背板部２４の下端からベース盤１の第一長辺１２側に向けて突き出す下板部２５と、この背板部２４の上端からベース盤１の第一長辺１２側に向けて突き出す下板部２５よりも突き出し寸法を短くした上板部２６とを、有している。かかる下板部２５の下面が挟み付け面２２として機能するようになっている。
【００５１】
また、上板部２６の前端には下方に向けて突き出す折り返し板部２６１が形成されてると共に、この折り返し板部２６１の直下位置には下板部２５の上面から上方に突き出す第一突き出し板部２５１が形成されており、前記スライダ３は、後述するスライダベース３１のはめ込み部３１１ａをこの折り返し板部２６１と第一突き出し板部２５１と背板部２４の前面とによって形成された受け入れ空間２７に入れ込ませた状態で、押さえレール２の長さ方向に沿って規則的にスライド移動されるようになっている。
【００５２】
また、下板部２５の前端には、上方に突き出す第二突き出し板部２５２が形成されており、スライダ３に内蔵された後述する回転刃３０はその下端３０１の背面をこの第二突き出し板部２５２の外面に接しさせるようにした状態で位置づけられるようになっている。（図３）
【００５３】
（スライダ３）
スライダ３は、前記押さえレール２の前側面部２０に、この押さえレール２に沿ってスライド移動可能に組み合わされている。そして、このスライダ３に内蔵された円板状をなす回転刃３０によってこのスライダ３のスライド移動により前記のように挟み付けられた裁断対象物Ｓにカッティングを施すようになっている。具体的には、後述するマウント体３２を押さえレール２を挟み付け位置に位置づけさせた状態で付勢手段３３の付勢に抗して下方に押し込むと、回転刃３０の下端３０１（下側に位置される刃先）が押さえレール２の挟み付け面２２から下方に突き出され、このように回転刃３０の下端３０１を突き出させた状態でスライダ３をスライド移動させるとこれに伴って回転刃３０は回転され、このように回転される回転刃３０によって裁断対象物Ｓに対して押さえレール２の前端、つまり、前記下板部２５の第二突き出し板部２５２の前面位置に沿ったカッティングが施される。かかる回転刃３０の下端３０１の直下位置にある載置面１１には軟質のプラスチックなどよりなるカッターマット１１２が設けられている。
【００５４】
かかるスライダ３は、
押さえレール２の前側面部２０へのはめ込み部３１１ａを備えたスライダベース３１と、
スライダベース３１に上下動可能に組み合わされると共に、前面３２１に回転刃３０の中心に形成された軸穴３０２に入れ込まれてこの回転刃３０を回転可能に支持する軸部３２２を備えたマウント体３２と、
このマウント体３２に取り付けられた回転刃３０の下端３０１を押さえレール２の挟み付け面２２から下方に突き出させないリフト位置（図３の位置）に向けてマウント体３２を常時付勢する付勢手段３３と、
マウント体３２の前面３２１を覆うようにスライダベース３１に取り外し可能に組み合わされるスライダカバー３４とを有している。
【００５５】
図示の例では、かかるスライダベース３１は、下部の背面に前記はめ込み部３１１ａを備えた背側パーツ３１１と、この背側パーツ３１１の前面に、この背側パーツ３１１との間にマウント体３２を上下動可能に挟み込み状に保持させるようにして組み付けられる前側パーツ３１２とから構成されている。スライダベース３１の上部は、押さえレール２の上板部２６よりも上方に位置される。
【００５６】
また、マウント体３２は、前面３２１の下部に、水平方向に突き出す前記軸部３２２を有している。このマウント体３２の前面３２１の下部であって、回転刃３０を挟んだ両側には、上方に向いた段差面３２３が形成されていると共に、このマウント体３２の下部背面にも上方に向いた段差面３２３が形成されており、図示の例では、これらの段差面３２３をスライダベース３１に形成された下方に向いた段差面３１３に前記付勢によって突き当てさせる位置がマウント体３２のリフト位置となっている。このリフト位置においてマウント体３２の上部はスライダベース３１の上面よりも上方に位置される。（図３）また、マウント体３２に支持される回転刃３０の下端３０１側はマウント体３２の下面よりも下方に位置されると共に、この回転刃３０の背面はスライダベース３１の背側パーツ３１１の底板３１１ｂの前縁３１１ｃよりも前方に位置される。また、スライダベース３１の前側パーツ３１２は、回転刃３０の両側に位置される側部３１２ａと両側部３１２ａ、３１２ａの上端間に亘る上部３１２ｂとからなる門状をなしており、スライダカバー３４を外した状態においては、マウント体３２の前面３２１から軸部３２２に支持された回転刃３０を取り外せるようになっている。また、かかるマウント体３２の上部にはキャップ３２４が取り付けられており、このキャップ３２４に手などを押し付けてこのマウント体３２の押し込み操作をなせるようにしてある。
【００５７】
また、付勢手段３３は、図示の例にあっては、バネ上端をマウント体３２の底部３２７の下面に接しさせ、かつ、バネ下端をスライダベース３１の背側パーツ３１１の底板３１１ｂの内面に接しさせた圧縮コイルバネ３３１によって構成されている。
【００５８】
また、スライダカバー３４には、
掛合位置と非掛合位置とに亘る横移動操作可能にこのスライダカバー３４に組み合わされると共に、スライダカバー３４の背面から突き出される掛合脚３４２ａを備えたボタン体３４２と、
このボタン体３４２を常時掛合位置（図６の位置）に向けて付勢する付勢手段３４３とが内蔵されている。
【００５９】
図示の例では、かかるスライダカバー３４は、前側パーツ３４４と背側パーツ３４５との間に棒状をなすボタン体３４２を横移動可能に挟み込み状に保持させるようにして構成されている。ボタン体３４２の外端３４２ｃは、前側パーツ３４４の一方側部に形成された窓穴３４４ａから外方に突き出されている。ボタン体３４２の内端３４２ｄと前側パーツ３４４の他方側部の内面との間には付勢手段３４３となる圧縮コイルバネ３４３ａが介装されており、このバネ３４３ａによりボタン体３４２は前記掛合位置に位置づけられるようになっている。ボタン体３４２の背面にはその長さ方向に間隔を開けて後方に突き出す一対の掛合脚３４２ａ、３４２ａが備えられている。この掛合脚３４２ａは先端にボタン体３４２の外端３４２ｃに向いた掛合爪３４２ｂを有している。背側パーツ３４５にはこの掛合脚３４２ａを突き出させる大きさを備えると共に、前記バネ３４３ａの付勢に抗したボタン体３４２の移動、つまり、ボタン体３４２の外端３４２ｃを押圧してのボタン体３４２の非掛合位置（掛合脚３４２ａを窓穴３４５ａの図６における左側の窓縁に押し付ける位置）に向けた移動操作に伴う掛合脚３４２ａの移動を許容する巾を備えた窓穴３４５ａが形成されている。
【００６０】
一方、スライダベース３１の前面には、非掛合位置に移動されたボタン体３４２の掛合脚３４２ａを受け入れると共に、この受け入れ後の付勢手段の付勢によるボタン体３４２の掛合位置への移動によりこの掛合脚３４２ａが掛合される掛合穴３１２ｃが形成されている。
【００６１】
図示の例にあっては、かかる掛合穴３１２ｃは、スライダベース３１の前側パーツ３１２における両側部３１２ａ、３１２ａにそれぞれ形成されている。そして、図示の例にあっては、掛合位置にあるボタン体３４２の掛合脚３４２ａの掛合爪３４２ｂが前側パーツ３１２の内面側においてこの掛合穴３１２ｃの穴縁に引っかかるようになっている。この引っかかり状態からボタン体３４２を非掛合位置に移動操作させると、掛合穴３１２ｃへの掛合爪３４２ｂの引っかかりが解かれ、スライダベース３１の前面からスライダカバー３４を取り外せるようになっている。
【００６２】
スライダカバー３４の背側パーツ３４５の左右方向略中程の位置には、スライダベース３１の前側パーツ３１２の一対の側部３１２ａ、３１２ａ間に入り込んで回転刃３０の前面に接する隆起部３４５ｂが形成されていると共に、この隆起部３４５ｂには、マウント体３２の軸部３２２が納まり、かつ、このマウント体３２の押し込み操作に伴う軸部３２２の移動を許容させる長さを上下に備えた長穴３４５ｃが形成されている。
【００６３】
これにより、この実施の形態にあっては、ボタン体３４２を非掛合位置に向けて付勢手段３４３の付勢に抗して押し込み横移動操作することにより、スライダカバー３４をスライダベース３１からワンタッチで取り外すことができ、これによりマウント体３２に支持された回転刃３０のスライダカバー３４による保持状態を解いてこの回転刃３０を交換できる状態を容易に作り出すことができる。回転刃３０の交換後は、ボタン体３４２を非掛合位置に再び押し込み位置づけた状態からこのボタン体３４２の掛合脚３４２ａをスライダベース３１の掛合穴３１２ｃに入れ込ませた後、この押し込みを解くと、ボタン体３４２は付勢手段の付勢により掛合位置に横移動され、スライダカバー３４によって回転刃３０を保持させた状態を再びワンタッチで作り出すことができる。
【００６４】
また、この実施の形態にあっては、裁断装置が、一端部に、回転刃３０の前面に吸着される永久磁石４０を備え、他端部側を把持部４１とした回転刃３０の取り替え補助具４を含んだものとなっている。
【００６５】
図示の例では、かかる取り替え補助具４は、棒状体４２の一端部に、この棒状体４２の軸線に略直交する向きの永久磁石４０の保持面４３ａを備えた保持板部４３を一体に形成させることにより構成されている。保持板部４３には、この保持板部４３の一辺部において外方に開放されてこの保持板部４３の内方に窪み込む凹部４４が形成されている。図示の例では、永久磁石４０は、前記保持面４３ａに一面を接着された板状をなすゴム磁石によって構成されている。そして、図示の例にあっては、前記凹部４４を磁性材よりなる回転刃３０の軸穴３０２に連通させるようにした状態で、ゴム磁石の他面を回転刃３０の前面に吸着させることができるようになっている。（図７）
【００６６】
これにより、この実施の形態にあっては、マウント体３２の前面３２１に支持された回転刃３０に触れることなく、この回転刃３０の前面に取り替え補助具４の永久磁石４０を吸着させてこの回転刃３０の軸穴からマウント体３２の軸部３２２を抜き出させるように回転刃３０を前方に移動させることができ、これによりマウント体３２から回転刃３０を取り外すことができる。また、この後、交換用の回転刃３０の前面に取り替え補助具４の永久磁石４０を吸着させて、ここでも回転刃３０に触れることなく、マウント体３２の軸部３２２にこの交換用の回転刃３０をセッティングさせることができる。セッティング後は、この回転刃３０の前面から永久磁石４０を引き剥がすように取り替え補助具４を操作すれば回転刃３０のみをマウント体３２の前面３２１に残すことができる。
【００６７】
また、この実施の形態にあっては、スライダベース３１に、操作用頭部３１４ａと脚部３１４ｂとを有しており、かつ、ロック位置とアンロック位置とに亘る横移動操作可能にこのスライダベース３１に組み合わされたスライダロック３１４が備えられている。
【００６８】
図示の例にあっては、スライダロック３１４は、外端を操作用頭部３１４ａとし、この操作用頭部３１４ａ側に外向きのフランジ３１４ｃを有し、このフランジ３１４ｃから先を脚部３１４ｂとした棒状をなすように構成されている。スライダベース３１の背側パーツ３１１の背面であってその上部には、このスライダロック３１４のフランジ３１４ｃから先の脚部３１４ｂを通し抜けさせる貫通穴３１１ｄが設けられている。この貫通穴３１１ｄの横幅はスライダロック３１４の脚部３１４ｂの太さよりも広く、これにより、前記ロック位置とアンロック位置とに亘るスライダロック３１４の横移動操作ができるようになっている。図示の例では、背側パーツ３１１の背面の上部に、前記のように組み合わされたスライダロック３１４の操作用頭部３１４ａを通して外部から操作できるようにした窓穴３１５ａを備えたカバー３１５がさらに組み付けられるようになっている。
【００６９】
一方、マウント体３２には、上部室３２５ａと下部室３２５ｂとを備えると共に、この上部室３２５ａと下部室３２５ｂとの間に下方に向いたロック用段差面３２５ｃを備えたスライダロック３１４の脚部３１４ｂの通し部３２５が形成されている。
【００７０】
図示の例にあっては、マウント体３２の背面に、このマウント体３２の側部３２６の内面と上部３２８の内面とによって、背側において開放された上部室３２５ａとこの上部室３２５ａに連通した下部室３２５ｂとが形成されている。上部室３２５ａは、その巾を下部室３２５ｂの巾よりも小さくさせており、これにより、上部室３２５ａと下部室３２５ｂとの間に下方に向いたロック用段差面３２５ｃが形成されている。
【００７１】
そして、この実施の形態にあっては、スライダロック３１４のロック位置において、スライダロック３１４の脚部３１４ｂが通し部３２５の下部室３２５ｂ内においてロック用段差面３２５ｃの下方に位置され、かつ、スライダロック３１４のアンロック位置においてスライダロック３１４の脚部３１４ｂが付勢手段３３の付勢に抗したマウント体３２の下降位置に向けた押し込み操作によって通し部３２５の上部室３２５ａに入り込む位置に位置されるようになっている。
【００７２】
具体的には、図示の例にあっては、図１１における右側にスライダロック３１４の操作用頭部３１４ａが位置されるロック位置において、前記貫通穴３１１ｄを通って前記通し部３２５内に位置されるこのスライダロック３１４の脚部３１４ｂが前記ロック用段差面３２５ｃの下方に位置され、このロック位置から左側にスライダロック３１４の操作用頭部３１４ａが位置されるようにスライダロック３１４を横移動させることにより、この脚部３１４ｂが上部室３２５ａの下方に位置されるようになっている。（図１２）
【００７３】
スライダロック３１４をロック位置に位置づけた状態では、その脚部３１４ｂが前記ロック用段差面３２５ｃの下方に位置されることから、付勢手段３３の付勢によりリフト位置にあるマウント体３２をこの付勢に抗して押し込み操作してもマウント体３２は移動されない。これにより、裁断対象物Ｓのカッティングを必要としない場合には、誤ってマウント体３２を押し込み操作しても押さえレール２の挟み付け面２２から先に回転刃３０の下端３０１が突き出さないようにすることができる。特に、挟み付け面２２と載置面１１とを離隔させた離隔位置に押さえレール２を移動させている場合に、予期せずこのように回転刃３０の下端３０１（押さえレール２を離隔位置に位置づけた場合には上方に向く。）が挟み付け面２２から先に突き出されることがないようにできる。
【００７４】
スライダロック３１４をアンロック位置に位置づけた状態では、その脚部３１４ｂが前記上部室３２５ａに入り込む位置に位置されることから、付勢手段３３の付勢によりリフト位置にあるマウント体３２をこの付勢に抗して押し込み操作するとマウント体３２は移動され、押さえレール２の挟み付け面２２から先に回転刃３０の下端３０１が突き出される。（図４）この状態において押さえレール２に沿ってスライダ３を移動させることにより、挟み付け位置にある押さえレール２によって押さえつけられた裁断対象物Ｓにカッティングを施すことができる。
【図面の簡単な説明】
【００７５】
【図１】裁断装置の斜視構成図
【図２】同平面構成図
【図３】同要部断面図（マウント体３２リフト位置）
【図４】同要部断面図（マウント体３２下降位置）
【図５】スライダ３の斜視図（スライダカバー３４取り外し状態）
【図６】スライダ３の斜視図（図５の反対側から視た図）
【図７】取り替え補助具４の使用状態を示した斜視図
【図８】取り替え補助具４の分解斜視図
【図９】スライダ３の分解斜視図
【図１０】スライダ３の分解斜視図（図９の反対側から視た図）
【図１１】スライダ３の要部分解斜視図
【図１２】スライダ３の要部分解斜視図
【図１３】裁断装置の要部斜視図
【図１４】可動当て定規１７の分解斜視図
【図１５】裁断装置の要部断面図
【図１６】裁断装置の要部断面図
【図１７】裁断装置の要部斜視図（図１３と異なる例）
【図１８】可動当て定規１９の分解斜視図
【図１９】裁断装置の要部断面図（主として可動当て定規１９）
【図２０】裁断装置の要部断面図（図１９と９０度異なる位置）
【図２１】裁断装置の要部断面図（主として可動当て定規１９）
【図２２】裁断装置の要部断面図（図２１と９０度異なる位置）
【符号の説明】
【００７６】
Ｓ  裁断対象物
１  ベース盤
１０  盤上面
１１  載置面
２  押さえレール
２２  挟み付け面
３  スライダ
３０  回転刃
３０２  軸穴
３１  スライダベース
３１１ａ  はめ込み部
３１４  スライダロック
３１４ａ  操作用頭部
３１４ｂ  脚部
３２  マウント体
３２１  前面
３２２  軸部
３２５  通し部
３２５ａ  上部室
３２５ｂ  下部室
３２５ｃ  ロック用段差面
３３  付勢手段
３４  スライダカバー
【図１】
2006110681.tif 000003
【図２】
2006110681.tif 000004
【図３】
2006110681.tif 000005
【図４】
2006110681.tif 000006
【図５】
2006110681.tif 000007
【図６】
2006110681.tif 000008
【図７】
2006110681.tif 000009
【図８】
2006110681.tif 000010
【図９】
2006110681.tif 000011
【図１０】
2006110681.tif 000012
【図１１】
2006110681.tif 000013
【図１２】
2006110681.tif 000014
【図１３】
2006110681.tif 000015
【図１４】
2006110681.tif 000016
【図１５】
2006110681.tif 000017
【図１６】
2006110681.tif 000018
【図１７】
2006110681.tif 000019
【図１８】
2006110681.tif 000020
【図１９】
2006110681.tif 000021
【図２０】
2006110681.tif 000022
【図２１】
2006110681.tif 000023
【図２２】
2006110681.tif 000024